【手続補正書】
【提出日】平成30年1月22日(2018.1.22)
【手続補正１】
【補正対象書類名】特許請求の範囲
【補正対象項目名】全文
【補正方法】変更
【補正の内容】
【特許請求の範囲】
【請求項１】
監視カメラで撮影された映像データの映像と共に、前記映像に含まれる検出すべき危険物または検出すべき問題行為を示すカテゴリを設定するためのカテゴリ設定画面を表示させる表示制御手段と、
前記カテゴリ設定画面に対するオペレータの操作に応じて設定されたカテゴリ情報を、前記映像データと共に学習用データとして蓄積する学習用データ蓄積手段と、
前記学習用データ蓄積手段に蓄積された前記学習用データを用いて学習処理を行い、前記映像データを解析して特定のカテゴリを検出し、その検出結果を出力する第１映像解析手段と、
を備える映像処理装置。
【請求項２】
前記危険物は、暴走車、銃、ナイフおよび不審者のうち少なくとも１つを含み、前記問題行為は、窃盗、ひったくり、家出、傷害事件、殺人、麻薬取引、不法侵入および群衆の動きのうち少なくとも１つを含む、請求項１に記載の映像処理装置。
【請求項３】
前記学習用データ蓄積手段は、カテゴリ情報として、カテゴリ名、映像撮影時刻、カテゴリ検出領域、オペレータ情報を蓄積する請求項１または２に記載の映像処理装置。
【請求項４】
前記表示制御手段は、前記カテゴリ設定画面において、前記映像データに関連する複数のカテゴリを修正または追加可能に表示させる請求項１乃至３のいずれか１項に記載の映像処理装置。
【請求項５】
前記表示制御手段は、前記カテゴリ設定画面において、前記映像データに関連する複数のカテゴリを選択可能に表示させる請求項１乃至４のいずれか１項に記載の映像処理装置。
【請求項６】
前記表示制御手段は、前記カテゴリ設定画面において、前記映像データに関連するカテゴリを新たに生成するために必要な情報を入力させる手段を有し、
前記カテゴリが新たに生成された場合に、新規なカテゴリを検出するための第２映像解析手段を新たに生成する生成手段をさらに備える請求項１乃至５のいずれか１項に記載の映像処理装置。
【請求項７】
監視カメラで撮影された映像データを蓄積する映像データ蓄積手段と、
前記映像データ蓄積手段に蓄積された映像データの映像と共に、前記映像に含まれる検出すべき危険物または検出すべき問題行為を示すカテゴリを設定するためのカテゴリ設定画面を表示させる表示制御手段と、
前記カテゴリ設定画面に対するオペレータの操作に応じて設定されたカテゴリ情報を、前記映像データと共に学習用データとして蓄積する学習用データ蓄積手段と、
前記学習用データ蓄積手段に蓄積された前記学習用データを用いて学習処理を行い、前記映像データ蓄積手段に蓄積された映像データを解析して、検出すべき危険物または検出すべき問題行為を示すカテゴリを検出し、その検出結果を出力する第１映像解析手段と、
を備える映像監視システム。
【請求項８】
監視カメラで撮影された映像データの映像と共に、前記映像に含まれる検出すべき危険物または検出すべき問題行為を示すカテゴリを設定するためのカテゴリ設定画面を表示させる表示制御ステップと、
前記カテゴリ設定画面に対するオペレータの操作に応じて設定されたカテゴリ情報を、前記映像データと共に学習用データとして蓄積する学習用データ蓄積ステップと、
前記学習用データ蓄積ステップにおいて蓄積された前記学習用データを用いて学習処理を行い、前記映像データを解析して特定のカテゴリを検出し、その検出結果を出力する第１映像解析ステップと、
を含む映像処理方法。
【請求項９】
監視カメラで撮影された映像データの映像と共に、前記映像に含まれる検出すべき危険物または検出すべき問題行為を示すカテゴリを設定するためのカテゴリ設定画面を表示させる表示制御ステップと、
前記カテゴリ設定画面に対するオペレータの操作に応じて設定されたカテゴリ情報を、前記映像データと共に学習用データとして蓄積する学習用データ蓄積ステップと、
前記学習用データ蓄積ステップにおいて蓄積された前記学習用データを用いて学習処理を行い、前記映像データを解析して特定のカテゴリを検出し、その検出結果を出力する第１映像解析ステップと、
をコンピュータに実行させる映像処理プログラム。
【手続補正２】
【補正対象書類名】明細書
【補正対象項目名】０００６
【補正方法】変更
【補正の内容】
【０００６】
上記目的を達成するため、本発明に係る映像処理装置は、
監視カメラで撮影された映像データの映像と共に、前記映像に含まれる検出すべき危険物または検出すべき問題行為を示すカテゴリを設定するためのカテゴリ設定画面を表示させる表示制御手段と、
前記カテゴリ設定画面に対するオペレータの操作に応じて設定されたカテゴリ情報を、前記映像データと共に学習用データとして蓄積する学習用データ蓄積手段と、
前記学習用データ蓄積手段に蓄積された前記学習用データを用いて学習処理を行い、前記映像データを解析して、特定のカテゴリを検出し、その検出結果を出力する第１映像解析手段と、
を備える。
【手続補正３】
【補正対象書類名】明細書
【補正対象項目名】０００７
【補正方法】変更
【補正の内容】
【０００７】
上記目的を達成するため、本発明に係る映像監視システムは、
監視カメラで撮影された映像データを蓄積する映像データ蓄積手段と、
前記映像データ蓄積手段に蓄積された映像データの映像と共に、前記映像に含まれる検出すべき危険物または検出すべき問題行為を示すカテゴリを設定するためのカテゴリ設定画面を表示させる表示制御手段と、
前記カテゴリ設定画面に対するオペレータの操作に応じて設定されたカテゴリ情報を、前記映像データと共に学習用データとして蓄積する学習用データ蓄積手段と、
前記学習用データ蓄積手段に蓄積された前記学習用データを用いて学習処理を行い、前記映像データ蓄積手段に蓄積された映像データを解析して、検出すべき危険物または検出すべき問題行為を示すカテゴリを検出し、その検出結果を出力する第１映像解析手段と、
を備える。
【手続補正４】
【補正対象書類名】明細書
【補正対象項目名】０００８
【補正方法】変更
【補正の内容】
【０００８】
上記目的を達成するため、本発明に係る映像処理方法は、
監視カメラで撮影された映像データの映像と共に、前記映像に含まれる検出すべき危険物または検出すべき問題行為を示すカテゴリを設定するためのカテゴリ設定画面を表示させる表示制御ステップと、
前記カテゴリ設定画面に対するオペレータの操作に応じて設定されたカテゴリ情報を、前記映像データと共に学習用データとして蓄積する学習用データ蓄積ステップと、
前記学習用データ蓄積ステップにおいて蓄積された前記学習用データを用いて学習処理を行い、前記映像データを解析して特定のカテゴリを検出し、その検出結果を出力する第１映像解析ステップと、
を含む。
【手続補正５】
【補正対象書類名】明細書
【補正対象項目名】０００９
【補正方法】変更
【補正の内容】
【０００９】
上記目的を達成するため、本発明に係る映像処理プログラムは、
監視カメラで撮影された映像データの映像と共に、前記映像に含まれる検出すべき危険物または検出すべき問題行為を示すカテゴリを設定するためのカテゴリ設定画面を表示させる表示制御ステップと、
前記カテゴリ設定画面に対するオペレータの操作に応じて設定されたカテゴリ情報を、前記映像データと共に学習用データとして蓄積する学習用データ蓄積ステップと、
前記学習用データ蓄積ステップにおいて蓄積された前記学習用データを用いて学習処理を行い、前記映像データを解析して特定のカテゴリを検出し、その検出結果を出力する第１映像解析ステップと、
をコンピュータに実行させる。